(57)【要約】      （修正有）【課題】空気自然循環機能を有する発光靴底を提供する。【解決手段】発光靴底１０は、本底１と、中底２と、発光装置３とを備えてなり、本底１は光透過性を有するゴム靴底で、中底２は光透過性に優れた導光ゴム層であり、本底１上面に密着結合され、発光装置３を収納するための切り込み２１を備える。中底２内部には、内蔵される導光用支持リブ２２と、複数の貫通した格子状穴２３と、両側の通り穴２９とを備えてなり、発光靴底１０の重量を軽減するように設けられる。中底２には更に、格子状穴２３に通じる複数の貫通穴２６が設けられ、通り穴２９は更に、前後両方の格子状穴２３に通じており、格子状穴２３には圧力をかけると、穴内の空気が貫通穴２６から排出され、圧力を受けていないとき、格子状穴２３が直ちに元の状態に戻るように設けられ、足部の上げ下げを続けると、前後方の格子状穴２３内の空気が互いに循環するように流れ、空気の流入と排出が繰り返して行われ、靴内での空気自然循環が行われる。【選択図】図１
0003228397.tif 000002
【実用新案登録請求の範囲】
【請求項１】
本底（１）と、中底（２）と、発光装置（３）とを備えてなる発光靴底（１０）であり、前記発光靴底（１０）は、その上にある甲革（２０）を結合して靴（３０）になるが、
前記本底（１）は、上下両面を備えてなるゴム靴底であり、
前記中底（２）は、光透過性に優れた導光ゴム層であり、前記本底（１）上面に密着、結合され、前記導光ゴム層は、縦向き切り込み（２１）と、切り込み（２１）の前後方に内蔵される導光用支持リブ（２２）と、前記支持リブ（２２）からなる複数の貫通した格子状穴（２３）とを備えてなり、前記切り込み（２１）の左右両側には更に、横向き通り穴（２９）が内蔵され、前後両方の格子状穴（２３）に通じて、前後の気流を循環させるように設けられ、前記導光ゴム層の表面には更に、複数の貫通穴（２６）が分布し、前記貫通穴（２６）と前記格子状穴（２３）とは互いに通じるように設けられ、
前記発光装置（３）は、前記中底（２）の切り込み（２１）内にあり、光透過ケース（３１）内に発光ユニット（３２）が内蔵されてなり、電源の開閉を行い、前記切り込み（２１）に小型防水ランプを簡単に取り外し、又は取り付けるように設けられ、
前記発光装置（３）が光を発すると、光線が前記中底（２）の切り込み（２１）壁から、中底（２）内に入射し、それから、支持リブ（２２）を介して、中底（２）の周縁に伝導され、直接に本底（１）内へと入射して、光線が本底（１）周縁に集中して光るように設けられることを特徴とする空気自然循環機能を有する発光靴底。
【請求項２】
前記中底（２）前後には、隆起した縦向き隆起部（２７）が設けられ、前記隆起部（２７）は、カーブ状で上向き突出するように設けられ、中央が比較的に突き出し、周辺が低く、中央から周辺へと次第に低くなるように設けられることを特徴とする請求項１に記載の空気自然循環機能を有する発光靴底。
【請求項３】
前記中底（２）下面の前後両方に、中央に向かってカーブ状に凹んでなる円弧溝（２８）が設けられ、前後両方の前記円弧溝（２８）は、前後両方の格子状穴（２３）に通じるように設けられることを特徴とする請求項１に記載の空気自然循環機能を有する発光靴底。
【請求項４】
前記導光用支持リブ（２２）は、縦リブ（２４）と横リブ（２５）とを交差してなり、複数の貫通した格子状穴（２３）は、前記縦リブ（２４）と横リブ（２５）とを交差して作られたスペースであり、前記縦リブ（２４）は計２本、それぞれ切り込み（２１）の前端と後端から、周縁へと、中底（２）のつま先側縁と踵側縁まで縦向きに延伸されており、二つの縦リブ（２４）の左右両側から延伸された複数の横リブ（２５）は、中底（２）の左右側縁まで設けられることを特徴とする請求項１に記載の空気自然循環機能を有する発光靴底。
【請求項５】
前記甲革（２０）は、クォーターライナー（４）とソックライナー（５）とを備えてなり、前記ソックライナー（５）下面は、前記中底（２）上面と結合され、前記ソックライナー（５）の前記切り込み（２１）に対応するところには更に、開閉可能なカバー（５１）が設けられ、ソックライナー（５）には、複数の通り穴（５２）が分布し、前記通り穴（５２）と中底（２）の貫通穴（２６）とは、上下対応するように設けられることを特徴とする請求項１に記載の空気自然循環機能を有する発光靴底。
【請求項６】
前記甲革（２０）は、クォーターライナー（４）とソックライナー（５）とを備えてなり、前記ソックライナー（５）は、下面を前記中底（２）上面と結合し、貫通長溝（５３）を備えてなり、前記中底（２）の切り込み（２１）と複数の貫通穴（２６）とは、前記貫通長溝（５３）の範囲内に露出されていることを特徴とする請求項１に記載の空気自然循環機能を有する発光靴底。
【請求項７】
前記ソックライナー（５）の上には、ソール（４０）を簡単に取り付け、又は取り出すように設けられ、前記ソール（４０）には、排気するための複数の通気穴（４０１）が設けられることを特徴とする請求項５又は６に記載の空気自然循環機能を有する発光靴底。
【請求項８】
前記本底（１）は、隆起した周縁（１１）を設けることにより、収納室（１２）が設けられるゴム靴体であり、前記ゴム靴体は、半光透過性又は光透過性に設けられることを特徴とする請求項１に記載の空気自然循環機能を有する発光靴底。
【請求項９】
前記本底（１）は、局所に隆起した周縁（１１）を備えてなるゴム靴体であり、前記ゴム靴体は、半光透過性又は光不透過性に設けられることを特徴とする請求項１に記載の空気自然循環機能を有する発光靴底。
【請求項１０】
前記本底（１）は、平面的なゴム靴体であり、前記ゴム靴体は、半光透過性又は光不透過性に設けられることを特徴とする請求項１に記載の空気自然循環機能を有する発光靴底。
【考案の詳細な説明】
【技術分野】
【０００１】
本考案は、靴分野に関わり、空気自然循環機能を有する発光靴底に関する。
【背景技術】
【０００２】
現在の発光靴は、靴底内に切り込みが設けられ、切り込みから放射状に延伸される複数の線状スリットと、前記線状スリットの先端に複数の発光用凹部とを備えてなり、前記切り込みはプリント基板と電池を、発光用凹部はＬＥＤユニットを、線状スリットは線状発光ワイヤを収納するように設けられ、前記線状発光ワイヤは、プリント基板とＬＥＤユニットとの間を電気的につなぐワイヤであり、ＬＥＤユニットに給電され、光を発すると、靴底の周囲に光が点滅して、夜間警告又は面白い表示という効果を果たす。
【０００３】
従来の発光靴では、プリント基板、ＬＥＤユニットと線状発光ワイヤはどれも、特定部位に固定されるように設けられ、固定されると、取り外せないものになるため、電子回路に故障などが発生し、光を発せないと、夜間警告又は面白い表示ができなくなり、ユーザが大抵、それを再使用せず、又は捨てたりする、というもったいないことがよく起こることから、従来の発光靴は使い捨て品になってしまう。
【０００４】
上述した問題点を解決するため、考案者より開発された「切り込み構造を有する発光靴底」で、中国特許登録番号ＺＬ２０１７２０６６１５２９．７を取得され、プリント基板、ＬＥＤユニット、電池などを、光透過可能なゴムケースに内蔵してなる防水可能な小型発光装置であり、前記靴底は、光透過性と導光性に優れた発光靴底に設けられ、前記発光装置は靴底のプリセットされた切り込みに設けられ、前記靴底は優れた光透過性と導光性を備えてなる発光靴底であり、切り込みにある発光装置から光を発すると、光線が切り込み壁から、直接に発光靴底内に入射し、発光靴底の外周へと伝導され、発光靴底の外周縁に集中してから、放出されるように設けられること、発光装置は故障発生、又は発光モードの変更がある場合、直ちに発光装置を取り外して、交換できるように設けられるため、一足の靴は、複数の発光モードを備えてなる発光装置と組み合わされるように設けられ、又は一個の発光装置は、切り込みを有する複数の発光靴に対応するように設けられること、発光装置は、独立した小型ランプであり、単独実施可能で、小さいナイトライト又は小型照明ライトとして用いられ、前記発光装置を発光靴底から取り出して、一般的な靴として用いられるもので、使い捨て品にならないこと、発光装置内には無線充電装置が設けられ、電力不足の時、電池交換不要で、充電器との磁界結合を用いたエネルギーを伝送して、電池に電力が補給されるようになること、リモートリモコン、例えばスマートフォンにより、発光装置をリモート制御することが可能で、プリント基板に受信モジュールと、プロセスモジュールとを設けることにより、受信モジュールがスマートフォンからの信号を受けると、プロセスモジュールからその信号により、前記ＬＥＤユニットがそれに対応する発光の変化を行うことを制御し、例えば、点灯形式、明るさ、頻度、色、鮮やかさなどを変えるようになり、発光が多様化すること。
【０００５】
中国特許登録番号ＺＬ２０１７２０６６１５２９．７には、発光靴底構造が掲示されているが、まだ次のような問題点を解決しなければならない。
１．発光靴底本体はソリッドボディで、プラスチック材が多く使用され、重量が重いものであり、足への負荷を軽減するため、軽量化する必要があること。
２．発光靴底本体はゴムで作られ、可撓性を有するものだが、耐磨耗性が足らず、その周縁や底部の磨耗が起こりやすいものであり、発光靴底の使用寿命を延ばすため、磨耗を減少させ、耐摩耗性を向上すること。
３．発光靴底内は通気機能がなく、長時間履くと、足元が暑く、足汗をよくかいてしまうものになり、発光靴底は通気性に設けられ、空気循環を行って、足元が爽やかで快適になり、臭くなることを避けられること。
【考案の概要】
【考案が解決しようとする課題】
【０００６】
それに鑑みて、本考案の解決しようとする課題は、上述の問題点を改善することである。
【課題を解決するための手段】
【０００７】
前記問題点を解決でき、上記目的を達成するために、本考案の空気自然循環機能を有する発光靴底は、本底（１）と、中底（２）と、発光装置（３）とを備えてなる発光靴底（１０）であり、前記発光靴底（１０）は、その上にある甲革（２０）を結合して靴（３０）になるが、
前記本底（１）は、上下両面を備えてなるゴム靴底であり、
前記中底（２）は、光透過性に優れた導光ゴム層であり、前記本底（１）上面に密着、結合され、前記導光ゴム層は、縦向き切り込み（２１）と、切り込み（２１）の前後方に内蔵される導光用支持リブ（２２）と、前記支持リブ（２２）からなる複数の貫通した格子状穴（２３）とを備えてなり、前記切り込み（２１）の左右両側には更に、横向き通り穴（２９）が内蔵され、前後両方の格子状穴（２３）に通じて、前後の気流を循環させるように設けられ、前記導光ゴム層の表面には更に、複数の貫通穴（２６）が分布し、前記貫通穴（２６）と前記格子状穴（２３）とは互いに通じるように設けられ、
前記発光装置（３）は、前記中底（２）の切り込み（２１）内にあり、光透過ケース（３１）内に発光ユニット（３２）が内蔵されてなり、電源の開閉を行い、前記切り込み（２１）に小型防水ランプを簡単に取り外し、又は取り付けるように設けられ、
前記発光装置（３）が光を発すると、光線が前記中底（２）の切り込み（２１）壁から、中底（２）内に入射し、それから、支持リブ（２２）を介して、中底（２）の周縁に伝導され、直接に本底（１）内へと入射して、光線が本底（１）周縁に集中して光るように設けられる。
【０００８】
前記中底（２）前後には、隆起した縦向き隆起部（２７）が設けられ、前記隆起部（２７）は、カーブ状で上向き突出するように設けられ、中央が比較的に突き出し、周辺が低く、中央から周辺へと次第に低くなるように設けられることが好ましい。
【０００９】
前記中底（２）下面の前後両方に、中央に向かってカーブ状に凹んでなる円弧溝（２８）が設けられ、前後両方の前記円弧溝（２８）は、前後両方の格子状穴（２３）に通じるように設けられることが好ましい。
【００１０】
前記導光用支持リブ（２２）は、縦リブ（２４）と横リブ（２５）とを交差してなり、複数の貫通した格子状穴（２３）は、前記縦リブ（２４）と横リブ（２５）とを交差して作られたスペースであり、前記縦リブ（２４）は計２本、それぞれ切り込み（２１）の前端と後端から、周縁へと、中底（２）のつま先側縁と踵側縁まで縦向きに延伸されており、二つの縦リブ（２４）の左右両側から延伸された複数の横リブ（２５）は、中底（２）の左右側縁まで設けられることが好ましい。
【００１１】
前記甲革（２０）は、クォーターライナー（４）とソックライナー（５）とを備えてなり、前記ソックライナー（５）下面は、前記中底（２）上面と結合され、前記ソックライナー（５）の前記切り込み（２１）に対応するところには更に、開閉可能なカバー（５１）が設けられ、ソックライナー（５）には、複数の通り穴（５２）が分布し、前記通り穴（５２）と中底（２）の貫通穴（２６）とは、上下対応するように設けられることが好ましい。
【００１２】
前記甲革（２０）は、クォーターライナー（４）とソックライナー（５）とを備えてなり、前記ソックライナー（５）は、下面を前記中底（２）上面と結合し、貫通長溝（５３）を備えてなり、前記中底（２）の切り込み（２１）と複数の貫通穴（２６）とは、前記貫通長溝（５３）の範囲内に露出されていることが好ましい。
【００１３】
前記ソックライナー（５）の上には、ソール（４０）を簡単に取り付け、又は取り出すように設けられ、前記ソール（４０）には、排気するための複数の通気穴（４０１）が設けられることが好ましい。
【００１４】
前記本底（１）は、隆起した周縁（１１）を設けることにより、収納室（１２）が設けられるゴム靴体であり、前記ゴム靴体は、半光透過性又は光透過性に設けられることが好ましい。
【００１５】
前記本底（１）は、局所に隆起した周縁（１１）を備えてなるゴム靴体であり、前記ゴム靴体は、半光透過性又は光不透過性に設けられることが好ましい。
【００１６】
前記本底（１）は、平面的なゴム靴体であり、前記ゴム靴体は、半光透過性又は光不透過性に設けられることが好ましい。
【考案の効果】
【００１７】
本考案は、従来の技術に対して、次のような作用と効果がある。
１．発光靴底本体は、本底と、中底とを備えてなり、中底には複数の格子状穴と、前後両方にある円弧溝とが設けられるため、プラスチック使用量の減少、重量軽減と、足への負荷軽減につながること。
２．発光靴底本体にあっては、外層は耐摩耗性に優れた本底で、磨耗を減少して、靴底の使用寿命を延ばし、内層は可撓性を有する中底で、適当な弾力性を備えてなるように設けられること。
３．発光靴底の中底には、下面前後に二つの円弧溝が設けられ、二つの前記円弧溝は、前後両方の格子状穴に通じており、中底両側には、前後両方の格子状穴に通じる通り穴が設けられており、足裏前部で中底を踏むと、前方の空気が通り穴を通って、後方へ流れるようになり、踵部で中底を踏むと、後方の空気が通り穴を通って、前方へ流れるようになり、自然空気循環が行われるように設けられること。
４．中底には複数の貫通した格子状穴が設けられ、貫通した格子状穴の上方には貫通穴が設けられ、中底前部が圧迫されると、後方の格子状穴内の空気は圧迫されて、貫通穴を通って、上へと流出されるようになり、中底後部が圧迫されると、前方の格子状穴内の空気は圧迫されて、貫通穴を通って、上へと流出されるようになり、足部が爽やかで快適になり、靴内の湿気や臭気などが排出され、ばい菌の繁殖が防止可能になること。
５．中底の前後方には、隆起した縦向き隆起部が設けられ、前記隆起部は、カーブ状で上向き突出するように設けられ、中央が比較的に突き出して、周辺へと次第に低くなるように設けられ、前記隆起部により、足元を支え、より優れた弾力性と支持力を有し、足元で中底を踏んでいる間、円弧溝により大きな力をかけると、より大きな気流が作られるように設けられること。
６．中底内部における支持リブは、縦リブと横リブから構成され、激しい運動時に、優れたクッション性を与えるように設けられ、光線が切り込み壁から、直接に中底の周縁へ伝導され、それから、本底へと入射し、本底周縁に集中して光るように設けられ、よい支持力を持つと同時に、光線を支持リブに集中させ、よい導光性を持つこと。
【図面の簡単な説明】
【００１８】
【図１】本考案の発光靴底の立体分解図を示す。
【図２】図１の発光靴底の立体組立図を示す。
【図３】本考案の発光靴底と甲革を組み合わせてなる靴の断面を示す模式図である。
【図４】図３のソックライナーのカバーを開けた時の模式図を示す。
【図５】本考案の発光靴底の導光性を示す模式図である。
【図６】本考案の発光靴底と甲革を組み合わせてなる靴のもう一つの実施形態を示す模式図である。
【図７】本考案の発光靴底の縦向き断面を示す模式図、即ち図２のＡ−Ａ断面図を示す。
【図８】本考案の発光靴底後部が圧力を受け、前部が圧力が受けていない時の気流を示す模式図である。
【図９】本考案の発光靴底前部が圧力を受け、後部が圧力を受けていない時の気流を示す模式図である。
【図１０】本考案の発光靴底が圧力を受けていない時の断面を示す模式図、即ち図７のＢ−Ｂ断面図である。
【図１１】図１０の発光靴底が圧力を受けている時の断面を示す模式図である。
【図１２】本案の実施形態２の発光靴底の立体分解図を示す。
【図１３】図１２の発光靴底の立体組立図を示す。
【考案を実施するための形態】
【００１９】
図面を合わせて、次のように詳しく説明する。
図１〜３に示すのは、空気自然循環機能を有する発光靴底１０であり、前記発光靴底１０は、本底１と、中底２と、発光装置３とを備えてなり、その上にある甲革２０を結合して靴３０になる。
【００２０】
前記本底１は、上下両面を備えてなるゴム靴底である。
【００２１】
前記中底２は、光透過性に優れた導光ゴム層であり、前記本底１上面に密着結合され、前記導光ゴム層は、縦向き切り込み２１と、切り込み２１の前後方に内蔵される導光用支持リブ２２と、前記支持リブ２２からなる複数の貫通した格子状穴２３とを備えてなり、前記切り込み２１の左右両側には更に、横向き通り穴２９が内蔵され、前後両方の格子状穴２３に通じて、前後の気流を循環させるように設けられ、前記導光ゴム層の表面には更に、複数の貫通穴２６が分布し、前記貫通穴２６と前記格子状穴２３とは互いに通じるように設けられる。
【００２２】
前記中底２下面には、前後両方に、中央に向かってカーブ状に凹んでなる円弧溝２８が設けられ、中底２下面の周縁は、本底１上面に密着結合され、前後両方の前記円弧溝２８は、前後両方の格子状穴２３に通じるように設けられ、前記円弧溝２８の槽面と本底１上面との隙間は最大、０．５センチを超えないように設けられ、前記円弧溝２８は、中底２内部の前後部の気流を循環させるように設けられ、それについて更に後述する。
【００２３】
左右の前記通り穴２９には、横向き貫通穴にせず、通り穴２９に下向き開口を持たせるように、中底２下面沿いに設けられた方がよく、通り穴２９の断面は、円形でなく、半円形又は大於半円形より大きい穴に設けられ、それにより、支持リブ２２の導光性に影響を及ぼすことなく、歩行中、中底2によって、前後の気流をうまく循環させるように設けられる。
【００２４】
前記発光装置３は、前記中底２の切り込み２１内にあり、光透過ケース３１内に発光ユニット３２が内蔵されてなり、電源の開閉を行い、切り込み２１に防水ランプを簡単に取り外し、又は取り付けるように設けられ、前記発光ユニット３２は、ＬＥＤユニットである。
【００２５】
前記本底１は、隆起した周縁１１を設けることにより、収納室１２が設けられるゴム靴体であり、前記ゴム靴体は半光透過性又は光透過性に設けられ、図２に示すように、前記発光装置３が光を発すると、光線は前記中底２の切り込み２１壁から、中底２内に入射し、それから、支持リブ２２によって、中底２の外周に伝導され、光線が本底１内へと直接に入射して、本底１の周縁に集中して光るように設けられる。
【００２６】
前記導光用支持リブ２２は、縦リブ２４と横リブ２５を交差してなり、それにより生じられたスペースは、複数の貫通した格子状穴２３に設けられ、前記導光用支持リブ２２は、足元を支えて、持ち上げるようにし、体重を中底２全体に、均等に分散させ、各部位が圧力を受けるように設けられ、局所に疲労による変形や損傷が発生することを避けられる。
【００２７】
前記中底２の表面には、複数の貫通穴２６が設けられ、 各貫通穴２６は各貫通した格子状穴２３に通じるように設けられ、格子状穴２３内の空気は、圧迫されると、貫通穴２６から上に排出され、足部が爽やかで快適になる。
【００２８】
導光用支持リブ２２の配置は、中底２のサイズを考慮に入れ、光透過性や導光性に影響を及ぼすことなく、プラスチックの使用量を減らすため、光透過性や導光性と、プラスチック使用量減少とのバランスを取り、一方に偏ることなく、両者のメリットを得るように、丁寧に計画して行われる必要がある。図１と図５に示すように、本考案の縦リブ２４は計２本、それぞれ、切り込み２１の前端と後端から、中底２のつま先側縁と踵側縁まで延伸された、爬虫類の甲羅中央の背骨のように設けられ、二つの縦リブ２４の左右両側から中底２の左右両側まで延伸される複数の横リブ２５は、甲羅左右の肋骨のように設けられるが、直線又はカーブに設けられてもよい。
【００２９】
実施してみたところ、前後にある二つの縦リブ２４により、発光装置３の光線が素早く、切り込み２１から中底２の前後両側に伝導され、左右にある複数の横リブ２５によって、二つの縦リブ２４から受けた光線がそれぞれ左右両側に伝導されるように設けられ、光線が素早く伝導され、減衰が少なく、周縁に集中する明るさが一致し、重量が大きく軽減されていることから、前記支持リブ２２の構造により修正や変更を行い、同じ効果を得て行われた範囲は全て、本考案の請求範囲に含まれるものとする。
【００３０】
図３に示すように、前記甲革２０は、クォーターライナー４とソックライナー５とを備えてなり、前記クォーターライナー４の周縁をソックライナー５下面に折り込ませ、互いに結合するように設けられ、ソックライナー５下面と前記中底２上面とを接着結合するように設けられ、図４に示すように、前記ソックライナー５の前記切り込み２１に対応するところには更に、開閉可能なカバー５１が設けられ、前記カバー５１下面は、中底２上面を結合せず、ユーザがいつでも開けられ、そこに発光装置３を素早く取り付け、交換するように設けられる。前記ソックライナー５には更に、複数の通り穴５２が設けられ、通り穴５２は、前述貫通穴２６に対応するように設けられ、中底２から上に排出された空気を、通り穴５２を通らせて、靴内に流入させるように設けられる。
【００３１】
前記ソックライナー５は通常、紙板、繊維板、ゴムシート、本革、合成皮革などの材料で作られ、前記カバー５１は、ソックライナー５上に、Ｕ字状にカット又は切断されてなり、片端がソックライナー５に接合しているため、その接合端を回転軸として、開閉可能であるように設けられる。カバー５１を閉めると、ソックライナー５と同じ水準の高さを保持し、カバー５１を開けると、開口になり、そこから、発光装置３を切り込み２１内に簡単に取り付け、又は取り出すように設けられる。
【００３２】
カバー５１を閉めた後、前記ソックライナー５の上にはソール４０が設けられ、前記ソール４０はいつでも、取り外し又は取り付けるように設けられ、前記ソール４０には、複数の通気穴４０１が設けられ、空気が空気前記通り穴５２を通って、通気穴４０１から靴内へと流入させるように設けられ、通気性がよく、足部の爽やかさを感じ、湿気を減少して、臭気や、カビの臭いの発生を避けるように設けられる。ソール４０の踵部には、足部の踵に良好な弾性・緩衝性を与えるため、一体化された振動防止突起(未図示)が設けられ、それは本考案の技術特徴でなく、従来知られている技術であり、それ以上述べないことにする。
【００３３】
前記発光装置３は、防水、耐荷重、耐衝撃、光透過可能かつ発光モードの遠隔制御が可能な小型ランプであり、その構造や作用・効果に関する詳しくは、考案者の中国特許登録番号ＺＬ２０１７２１１６１９８４．７、スマート発光装置を参考にしていただけるが、冗長な内容を避けるため、前記発光装置３の構造について、ここで述べないことにする。
【００３４】
前記本底１は、熱可塑性ポリウレタン（ＴＰＵ）、熱可塑性エラストマー（ＴＰＲ）、ポリ塩化ビニル（ＰＶＣ）、ポリウレタン（ＰＵ）、エチレン酢酸ビニル（ＥＶＡ）の材料を単独使用又は組合せ使用してもよく、前記中底２に適した材料は、ホットメルト接着剤が含まれ、前記ホットメルト接着剤は、エチレン酢酸ビニル、ポリエチレン、ポリアミド、ブロック共重合体又はＡＰＡＯが含まれ、それらの材料はどれも、可撓性、高度なクラリティ又は透明性に優れたものである。前記本底１と中底２との接合は、瞬間接着剤、ホットバー半田付け、高周波溶着、超音波溶着で行われ、前記本底１は中底２より硬度が高く、本底１の耐摩耗性を、中底２の弾力性を向上するように設けられ、光透過性や導光性に関し、前記中底２は、本底１より光透過性と導光性が高く設けられること。
【００３５】
前記切り込み２１は図４に示すように、貫通穴を開け、又は底を有する切り込みに設けられてもよく、貫通穴を開けてなる場合、発光装置３の肉厚を厚くするが、内部の電池の厚みを厚くしなければならないが、底を有してなる場合、記発光装置３の肉厚を薄くする必要があり、そこで、内部の電池の厚さを薄くすること。上述した二つの実施例は、どれも本考案に適用されるものである。
【００３６】
図６に示すように、ソックライナー５には、貫通長溝５３を備えてなり、中底２の切り込み２１と複数の貫通穴２６とが前記貫通長溝５３の範囲内に露出されており、ソックライナー５には、前記通り穴５１の設置不要というメリットがある。ユーザがソール４０を取り外すと、ソックライナー５の貫通長溝５３の範囲内に露出されている切り込み２１や貫通穴２６があるように設けられ、その設置により、発光装置３の交換が素早く簡単に行われ、中底２から排出された空気は、通り穴５１を通る経由することなく、空気の流れがよりうまく循環されるようになる。
【００３７】
図７に示すように、前記中底２上面は、平面に設けられ、本実施例で強調するのは、中底２には、隆起した縦向き隆起部２７が設けられ、分かりやすく説明するように、それぞれ前隆起部２７ａ、後隆起部２７ｂに分かれるが、前記隆起部２７は、カーブ状で上向きに隆起し、中央が比較的に突き出すように設けられ、隆起部２７の中央は肉厚が比較的に厚くて、足裏を支えて、より優れた弾力性、支持性かつクッション性を与えるように設けられ、図８と図９に示すように、隆起部２７が圧力を受けると、下面にある円弧溝２８が圧力を受けるようになり、中底２の円弧溝２８はそれぞれ前円弧溝２８ａと後円弧溝２８ｂに、貫通穴２６は前貫通穴２６ａと後貫通穴２６ｂに、格子状穴２３は前格子状穴２３ａと後格子状穴２３ｂに分かれる。図８に示すように、足部の踵を床につけ、つま先を床から上げると、後隆起部２７ｂが下押されて、後円弧溝２８ｂ、後格子状穴２３ｂ内の空気は圧力を受けて、通り穴２９を通って、前円弧溝２８ａや前格子状穴２３ａへと流れ、前貫通穴２６ａから上に排出されるようになり、図９に示すように、つま先を床につけ、踵を上げると、前隆起部２７ａが下押されて、前円弧溝２８ａ、前格子状穴２３ａ内の空気は圧力を受けて、通り穴２９を通って、円弧溝２８ｂや後格子状穴２３ｂへと流れ、後貫通穴２６ｂから上に排出されるようになることから、歩行中、中底２内の空気が前後循環するように流れる。
【００３８】
図１０、図１１に示すように、図１０は、足部で中底２を踏んでいないとき、上面にある隆起部２７がカーブ状に隆起し、下面にある円弧溝２８は空気が満たされており、図１１は、足部で中底２を踏むと、上面にある隆起部２７が凹み、下面にある円弧溝２８からは空気が排出され、本底１上面に貼合せるようになり、その圧力が解消されると、空気が貫通穴２６を通って、格子状穴２３内へ流れ込み、格子状穴２３が元の状態に戻り、隆起部２７や円弧溝２８も直ちに元の状態に戻る。足部の上げ下げを続けると、空気の流入と排出が繰り返して行われ、靴内での空気自然循環機能を果たし、足部がいつでも爽やかさを保ち、臭気やカビの臭いの発生を避けることができる。
【００３９】
図１２、図１３に示すように、本底１は、半光透過性、光透過性又は非透明性を有するゴム靴体であり、かつ、必ずしも周縁１１を有するとは限らないものであり、又は局所だけに周縁１１を有してなる。本底１は次のように、ＢＲＳ １０００、カーボンラバー(Carbon Rubber)、ソリッドラバー(solid rubber)、ＤＲＣ(耐久性ラバーコンパウンド)、Duralon又はガムラバー(Gum Ruuber)の何れかの一つ、又は二つ以上からなり、本実施形態では、発光靴底１０の外側から直接に、中底２の周縁の部分又は全部を見られるように設けられ、中底２は本底１より、光透過性に優れたもので、本底１の外周に光が明るく集中するように設けられる。
【００４０】
本底１は局所に隆起した周縁１１を有してなるゴム靴体である場合、前記ゴム靴体は、半光透過性又は光不透過性に設けられ、本底１の隆起した周縁１１を有さない場合、ゴム靴体は半光透過性又は光不透過性に設けられる。
【００４１】
本考案による応用範囲は、運動靴、サンダル、カジュアルシューズ、トレッキングシューズ(例えば、登山靴又はスキーブーツ)、ローラースケートシューズや四輪スケートシューズ、スリッパ、ビーチサンダル又はプラスチック製ビーチサンダルなどの靴類を含み、それに限らないものとする。
【００４２】
以上は、本考案の好適な実施例に関する説明だが、それを以って、実施範囲を制限してはならないものとし、本考案のコンセプトに一致した改造や変化などを行って、それと同等な効果を得て行われた範囲は全て、本考案の特許請求範囲に含まれるものとする。
【符号の説明】
【００４３】
１０  発光靴底
１    本底
１１  周縁
１２  収納室
２    中底
２１  切り込み
２２  支持リブ
２３  格子状穴
２３ａ  前格子状穴
２３ｂ  後格子状穴
２４  縦リブ
２５  横リブ
２６  貫通穴
２６ａ  前貫通穴
２６ｂ  後貫通穴
２７  隆起部
２７ａ  前隆起部
２７ｂ  後隆起部
２０  甲革
３０  靴
３    発光装置
３１  光透過ケース
３２  発光ユニット
４    クォーターライナー
５    ソックライナー
５１  通り穴
５２  通り穴
５３  貫通長溝
４０  ソール
４０１  通気穴
２８  円弧溝
２８ａ  前円弧溝
２８ｂ  後円弧溝
２９  通り穴
【図１】
0003228397.tif 000003
【図２】
0003228397.tif 000004
【図３】
0003228397.tif 000005
【図４】
0003228397.tif 000006
【図５】
0003228397.tif 000007
【図６】
0003228397.tif 000008
【図７】
0003228397.tif 000009
【図８】
0003228397.tif 000010
【図９】
0003228397.tif 000011
【図１０】
0003228397.tif 000012
【図１１】
0003228397.tif 000013
【図１２】
0003228397.tif 000014
【図１３】
0003228397.tif 000015